(57)【要約】【課題】厚みの増加を極力抑えて、金属材料を含む部品やノイズを発生する部品の影響を抑制することができる加工性に優れたタグアンテナ及び該タグアンテナを備えるタグを搭載した携帯無線機の提供。【解決手段】ＲＦＩＤ機能付き携帯無線機などの筐体の内面に配設されるタグアンテナ８ａを、磁性材１０の表層に、その外周部の一部が長手方向で連続して露出するように導線１３を埋設して形成する。これにより、従来構造に比べて厚みの増加を抑え、磁性材１０の裏面に配設された金属材料を含む部品の影響を抑制し、磁性材１０の下方のみならず側方からのノイズを遮断し、更に、導線１３と磁性材１０とを一体化させることにより加工性を向上させることができる。【選択図】図３
2007116347.tif 000002
【特許請求の範囲】
【請求項１】
電磁誘導又は電磁結合を利用してリーダ又はリーダ／ライタとデータ通信を行うタグのアンテナであって、
シート状の磁性材と、ループ状の導線とで構成され、
前記導線は、その外周の一部が長手方向に沿って連続して露出するように、前記磁性材の表層に埋設されていることを特徴とするタグアンテナ。
【請求項２】
電磁誘導又は電磁結合を利用してリーダ又はリーダ／ライタとデータ通信を行うタグのアンテナであって、
枠状の磁性材と、前記枠に沿って巻回するループ状の導線とで構成され、
前記導線は、その外周の一部が長手方向に沿って連続して露出するように、前記磁性材の表層に埋設されていることを特徴とするタグアンテナ。
【請求項３】
電磁誘導又は電磁結合を利用してリーダ又はリーダ／ライタとデータ通信を行うタグのアンテナであって、
導線が、その外周の一部が長手方向に沿って連続して露出するように、細長い磁性材の表層に埋設されたワイヤで構成され、
前記ワイヤは、前記導線の露出面が略一定となるようにループ状に巻回されていることを特徴とするタグアンテナ。
【請求項４】
前記導線は、加熱した前記磁性材に押圧されることによって前記磁性材の表層に埋設されることを特徴とする請求項１乃至３のいずれか一に記載のタグアンテナ。
【請求項５】
電磁誘導又は電磁結合を利用してリーダ又はリーダ／ライタとデータ通信を行うタグのアンテナであって、
シート状の磁性材上にループ状の導線が配置され、該ループ状の導線の表面が保護材で覆われていることを特徴とするタグアンテナ。
【請求項６】
前記保護材は、溶剤に溶かしたプラスチック材料を吹き付けて形成されることを特徴とする請求項５記載のタグアンテナ。
【請求項７】
前記磁性材は、粉末状の磁性材料又は針状の磁性材料とプラスチック又はゴムとの複合材からなることを特徴とする請求項１乃至６のいずれか一に記載のタグアンテナ。
【請求項８】
請求項１乃至７のいずれか一に記載のタグアンテナが、筐体の内面に配設されていることを特徴とするＲＦＩＤ機能付き携帯無線機。
【請求項９】
請求項１乃至７のいずれか一に記載のタグアンテナが、筐体の内面に折り曲げて配設されていることを特徴とするＲＦＩＤ機能付き携帯無線機。
【請求項１０】
導線が、その外周の一部が長手方向に沿って連続して露出するように、細長い磁性材の表層に埋設されていることを特徴とするワイヤ。
【発明の詳細な説明】
【技術分野】
【０００１】
本発明は、アンテナ及び携帯無線機に関し、特に、リーダ又はリーダ／ライタとデータ通信を行うＲＦＩＤ（Radio Frequency Identification）タグ用のアンテナ及び該アンテナを備えるタグが搭載された携帯無線機に関する。
【背景技術】
【０００２】
近年、ＩＣチップを備えたタグとリーダ又はリーダ／ライタ（以下、総称してリーダ／ライタと呼ぶ。）との間でデータ通信を行うＲＦＩＤシステムが普及している。このＲＦＩＤシステムは、タグ及びリーダ／ライタの各々に備えたアンテナを用いてデータ通信を行うため、タグをリーダ／ライタから数ｃｍ乃至数十ｃｍ離しても通信可能であり、また、汚れや静電気等に強いという長所から、工場の生産管理、物流の管理、入退室管理等の様々な分野に利用されるようになってきている。
【０００３】
このＲＦＩＤシステムは、従来は単独のシステムとして利用されていたが、近年、ＲＦＩＤシステムを既存の機器に組み込み、機器にＲＦＩＤ機能を付加する構造が提案されており、例えば、電子決済を行うためのタグを組み込んだ携帯無線機も実用化されている（例えば、下記特許文献１）。このような携帯無線機では、通常、携帯無線機の裏面側の筐体の内面にループ状のタグアンテナが配置される。
【０００４】
【特許文献１】特開２００３−３７８６１号公報（第３−４頁、第１図）
【発明の開示】
【発明が解決しようとする課題】
【０００５】
従来のＲＦＩＤ機能付き携帯無線機では、裏面側の筐体の内面に、プラスチックフィルムなどの基材上に導線を巻回して形成したタグアンテナを組み込んでいるが、タグアンテナが組み込まれる筐体の内部には、回路基板などの金属材料を含む部品が配設されているため、タグアンテナで発生する磁束が上記部品に侵入し、金属材料内で磁束を相殺する渦電流が流れ、アンテナの通信距離が低下するなどの問題が生じる。
【０００６】
また、タグアンテナが組み込まれる筐体の内部には、発振回路などのノイズを発生する部品も配設されているため、ノイズがタグアンテナに重畳してリーダ／ライタとの通信に障害が発生するなどの問題も生じる。
【０００７】
このような問題を解決する方法として、タグアンテナの基材と上記金属材料を含む部品やノイズを発生する部品との間に磁性材を挿入する方法もあるが、単に磁性材を挿入する構造では、磁性材の厚み分、タグアンテナの厚みが増してしまい、薄型化が求められる携帯無線機にとって大きな問題となる。
【０００８】
また、上記構造では、磁性材を介してタグアンテナに対向する位置に配設された部品の影響を抑制することは可能であるが、単に磁性材上にタグアンテナが配置される構造では、タグアンテナの側方からのノイズの影響を抑制することができないという問題もある。
【０００９】
更に、単に磁性材上にタグアンテナが配置される構造では、磁性材とタグアンテナとが一体化されていないため、両者を密着させた状態で変形することができず、携帯無線機のように各種部品が複雑に配置されている機器の内部にタグアンテナを折り曲げて配置することができないという問題もある。
【００１０】
本発明は、上記問題点に鑑みてなされたものであって、その主たる目的は、厚みの増加を極力抑え、金属材料を含む部品やノイズを発生する部品の影響を抑制することができ、かつ、加工性を向上させることができるタグアンテナ及び該タグアンテナを備えるタグを搭載した携帯無線機を提供することにある。
【００１１】
また、本発明の他の目的は、ノイズを発生する部品が存在する環境においても使用することができるワイヤを提供することにある。
【課題を解決するための手段】
【００１２】
上記目的を達成するため、本発明は、電磁誘導又は電磁結合を利用してリーダ又はリーダ／ライタとデータ通信を行うタグのアンテナであって、シート状の磁性材と、ループ状の導線とで構成され、前記導線は、その外周の一部が長手方向に沿って連続して露出するように、前記磁性材の表層に埋設されているものである。
【００１３】
また、本発明は、電磁誘導又は電磁結合を利用してリーダ又はリーダ／ライタとデータ通信を行うタグのアンテナであって、枠状の磁性材と、前記枠に沿って巻回するループ状の導線とで構成され、前記導線は、その外周の一部が長手方向に沿って連続して露出するように、前記磁性材の表層に埋設されているものである。
【００１４】
また、本発明は、電磁誘導又は電磁結合を利用してリーダ又はリーダ／ライタとデータ通信を行うタグのアンテナであって、導線が、その外周の一部が長手方向に沿って連続して露出するように、細長い磁性材の表層に埋設されたワイヤで構成され、前記ワイヤは、前記導線の露出面が略一定となるようにループ状に巻回されているものである。
【００１５】
本発明においては、前記導線は、加熱した前記磁性材に押圧されることによって前記磁性材の表層に埋設されることが好ましい。
【００１６】
また、本発明は、電磁誘導又は電磁結合を利用してリーダ又はリーダ／ライタとデータ通信を行うタグのアンテナであって、シート状の磁性材上にループ状の導線が配置され、該ループ状の導線の表面が保護材で覆われているものである。
【００１７】
本発明においては、前記保護材は、溶剤に溶かしたプラスチック材料を吹き付けて形成されることが好ましい。
【００１８】
また、本発明においては、前記磁性材は、粉末状の磁性材料又は針状の磁性材料とプラスチック又はゴムとの複合材からなる構成とすることができる。
【００１９】
また、本発明の携帯無線機は、上記記載のタグアンテナが、筐体の内面に配設、又は、筐体の内面に折り曲げて配設されているものである。
【００２０】
また、本発明のワイヤは、導線が、その外周の一部が長手方向に沿って連続して露出するように、細長い磁性材の表層に埋設されているものである。
【００２１】
このように、本発明のタグアンテナは、磁性材の表層にその外周の一部が長手方向に沿って連続して露出するように導線を埋設して形成し、また、磁性材上に配置した導線を保護材で覆って形成しているため、従来構造に比べて厚さを薄くすることができる。また、金属材料を含む部品やノイズを発生する部品の影響を抑制することができるため、タグアンテナの特性を向上させることができる。更に、磁性材と導線、又は磁性材と導線と保護材とが一体となっているため、加工性を向上させることができる。
【発明の効果】
【００２２】
本発明のタグアンテナ及び携帯無線機によれば下記記載の効果を奏する。
【００２３】
本発明の第１の効果は、タグアンテナの厚さの増加を極力抑えることができるということである。その理由は、基材上に導線を配置したタグアンテナの下面に磁性材を配置するのではなく、磁性材の表層に、その外周の一部が長手方向に沿って連続して露出するように導線を埋設してタグアンテナを形成し、また、磁性材上に配置した導線を保護材で覆ってタグアンテナを形成しているからである。
【００２４】
また、本発明の第２の効果は、金属材料を含む部品の影響を抑制することができるということである。その理由は、タグアンテナの磁束は磁性材内を通過し、磁性材を介してタグアンテナに対向する位置に配設された部品には到達しないため、該部品によって磁束が減衰されることがないからである。
【００２５】
また、本発明の第３の効果は、ノイズの影響を抑制することができるということである。その理由は、磁性材を介してタグアンテナに対向する位置に配置された部品から発生するノイズは磁性材に吸収されてタグアンテナに重畳しないからである。また、タグアンテナを構成する導線を磁性材に埋設する構造の場合は、タグアンテナの側方から入射するノイズも磁性材で吸収することができるからである。
【００２６】
また、本発明の第４の効果は、タグアンテナを任意の場所に配設することができるということである。その理由は、本発明のタグアンテナは磁性材と導線、又は磁性材と導線と保護材とが一体となっているため、任意の形状に折り曲げることができるからである。
【発明を実施するための最良の形態】
【００２７】
従来技術で示したように、近年、ＲＦＩＤ機能を備えた携帯無線機が実用化されており、タグアンテナは裏面側の筐体の内面に組み込まれる。例えば、図１１（ａ）に示すように、タグアンテナ８ａはプラスチックフィルムなどの基材１５上に導線１３を巻回して形成され、そのタグアンテナ８ａの両端にＩＣ８ｂを接続してタグ８が構成されるが、この構造では、図１１（ｂ）に示すように、タグアンテナ８ａで発生する磁束１１は基材１５を通過するため、基材１５の下部に配設された回路基板１６などの金属材料を含む部品に吸収されてしまい、タグアンテナ８ａのインダクタンスが減少して通信距離が低下するなどの問題が生じる。また、図１１（ｃ）に示すように、基材１５の下部に配設された発振回路などから発生するノイズは基材１５を通過して導線１３に到達するため、ノイズがタグアンテナ８ａに重畳してしまい、リーダ／ライタとの通信に障害が発生するという問題も生じる。
【００２８】
そこで、図１２（ａ）に示すように、基材１５上に導線１３を巻回して形成したタグアンテナ８ａの下部に磁性材１０を配置することもできる。この構造の場合、図１２（ｂ）に示すように、タグアンテナ８ａで発生する磁束１１は磁性材１０内を通過して側面から出射するため、磁性材１０の下部に配設された金属材料を含む部品の影響を抑制することができ、更に、図１２（ｃ）に示すように、磁性材１０の下部に配設された発振回路などから発生するノイズを磁性材１０で吸収することができる。
【００２９】
しかしながら、この構造の場合、導線１３は磁性材１０から離れた位置に配置されているため、磁性材１０の側方から入射するノイズは導線１３に到達してタグアンテナ８ａに重畳してしまい、ノイズの影響を確実に抑制することができない。また、この構造の場合、全体の厚みは、導線１３の径と基材１５の厚みと磁性材１０の厚みの合計となるため、薄型化が求められている携帯無線機内部に配置することが難しくなるという問題もある。更に、基材１５上に導線１３を巻回して形成したタグアンテナ８ａと磁性材１０とは別々の構造体であるため、これらを一体的に折り曲げることができず、基材１５と磁性材１０との間に隙間が生じて金属材料やノイズの影響を受けやすくなってしまうという問題も生じる。
【００３０】
そこで、本願発明では、磁性材１０上に、基材１５上に導線１３を巻回して形成したタグアンテナ８ａを配置するのではなく、タグアンテナ８ａを、磁性材１０の表層に、その外周の一部が長手方向に沿って連続して露出するように導線１３を埋設した一体構造とする。これにより、従来構造に比べて厚みの増加を抑え、磁性材１０の裏面に配設された金属材料の影響を抑制し、磁性材１０の下方のみならず側方からのノイズを遮断し、更に、導線１３と磁性材１０とを一体化させることにより加工性を向上させることができる。
【００３１】
また、磁性材１０上に導線１３を配置し、その表面に保護材を吹き付けて一体化させる構造とする。この構造の場合、側方からのノイズを完全に遮断することはできないが、図１２に示す従来構造に比べて導線１３を磁性材１０に密着させることができるため、斜め側方から入射するノイズは遮断することができる。また、全体の厚みは保護材の厚みと磁性材１０の厚みの合計となるため、従来構造に比べて厚みの増加を抑えることができ、また、保護材と磁性材１０とは一体化しているため、加工性を向上させることもできる。
【実施例】
【００３２】
上記した実施の形態についてさらに詳細に説明すべく、本発明の一実施例に係るタグアンテナ及び携帯無線機について、図１乃至図１０を参照して説明する。図１は、本実施例に係るタグアンテナを備えるタグが装着されたＲＦＩＤ機能付き携帯無線機の表面及び裏面の外観を示す図であり、図２は、ＲＦＩＤシステムの構成を示すブロック図である。また、図３は、本実施例のタグの構造を模式的に示す図であり、図４及び図５は、そのバリエーションを示す図である。また、図６は、本実施例のワイヤの構造を模式的に示す図であり、図７は、本実施例のタグの他の構造を模式的に示す図である。また、図８乃至図１０は、本実施例のタグアンテナ（ワイヤ）の製造方法を模式的に示す図である。
【００３３】
図１に示すように、本実施例のＲＦＩＤ機能付き携帯無線機１は、液晶表示装置や有機ＥＬ表示装置などの表示部５やデジタルカメラ機能のレンズなどを備える上部筐体２と、特殊キーや数字キーなどのボタンが配列された操作部６を備え、内部に携帯無線機１の各種機能（音声通話やメールの送受信、ｗｅｂの閲覧、写真撮影、音楽再生など機能など）を実現するための回路やバッテリーなどが収納された下部筐体３と、上部筐体２と下部筐体３とを開閉可能に支持するヒンジ部４と、下部筐体３の裏面側の内面に配設されるタグアンテナ８ａ及びＩＣ８ｂからなるタグ８と、一方の筐体内に一端が保持される伸縮自在なホイップアンテナ７などで構成されている。
【００３４】
なお、図１は例示であり、一体型の携帯無線機や、上部筐体２と下部筐体３とが開閉及び回動可能に支持されてなる２軸ヒンジ構造の携帯無線機など、任意の構造の携帯無線機に適用することができ、また、表示部５や操作部６、ホイップアンテナ７などの各構成部品の構成、配置なども任意である。また、図１では、下部筐体３の裏面の略全面にタグアンテナ８ａを配設しているが、タグアンテナ８ａのサイズや配置は任意であり、下部筐体３の裏面の一部（例えば下側の半分など）に配設してもよいし、上部筐体２の裏面側の内面に配設してもよい。
【００３５】
また、ＲＦＩＤシステムの基本構成は図２に示すようになり、タグ８は、共振回路を構成するタグアンテナ８ａ及びコンデンサ（ＩＣ８ｂに容量を備える場合は必ずしも必要ではなく、本実施例ではコンデンサを省略する。）と、ＩＤ情報などの記憶、通信制御などを行うＩＣ８ｂとで構成され、リーダ／ライタ９は、タグアンテナ８ａと交信するリーダ／ライタアンテナ９ａと、送受信信号を変換するための通信回路部９ｂや送受信信号をデコードするための演算処理部９ｃなどの回路部とで構成される。
【００３６】
ここで、従来技術で示したように、プラスチックフィルムなどの基材上に導線を巻回して形成したタグアンテナ８ａを下部筐体３の裏面側の内面などに配置した場合、下部筐体３内部に配設された回路基板などの金属材料を含む部品によってタグアンテナ８ａで発生した磁束が吸収されたり、発振回路などの部品から発生するノイズがタグアンテナ８ａに重畳して通信障害が発生するなどの問題が生じる。また、基材の下面に磁性材を配設した場合は、金属材料の影響や下方から入射するノイズの影響を抑制することはできるが、側方又は斜め側方から入射するノイズを遮断することはできず、また、全体の厚みが増してしまい、更に、任意の形状に折り曲げることが難しいという問題があった。
【００３７】
そこで、本実施例では、図３に示すように、磁性材１０の表層に、その外周の一部が長手方向に沿って連続して露出するように（すなわち、完全に埋没しないように）導線１３を埋設してタグアンテナ８ａを形成して厚さの増加を抑える。この構造の場合、図３（ｂ）に示すように、タグアンテナ８ａで発生する磁束１１は、磁性材１０の内部を通過して側面から出射し、磁性材１０の下部に配置される回路基板などの金属材料を含む部品を通過しないため、金属材料によるインダクタンスの減少を抑制することができ、通信距離の低下を防止することができる。また、図３（ｃ）に示すように、導線１３は磁性材１０に埋設されているため、磁性材１０の下方からのノイズのみならず、磁性材１０の側方からのノイズも遮断することができ、これによりタグアンテナ８ａの通信特性を良好に保つことができる。
【００３８】
なお、図３の構造は例示であり、タグアンテナ８ａを構成する導線１３の径、巻き数、巻き方、間隔、露出量、ＩＣ８ｂの配置などは限定されない。また、導線１３の周囲は絶縁材で被覆してもしなくてもよいが、絶縁材で被覆しない場合は、磁性材１０との間、及び導線１３が交差する部分に所定の絶縁処理（例えば、絶縁材を介在させるなど）を施すことが好ましい。また、ここでは磁性材１０を矩形状にしているが、磁性材１０の形状は導線１３の巻回形状に合わせて適宜変更することができ、例えば、導線１３を渦巻き状に巻回した場合は、磁性材１０を円形状にしてもよい。
【００３９】
上記構造のタグアンテナ８ａは、例えば、図８に示すような方法で製造することができる。まず、図８（ａ）に示すように、熱軟化性を有するシート状の磁性材１０を用意し、図８（ｂ）に示すように、その磁性材１０の上にタグアンテナ８ａを構成する１又は複数の導線１３を配置し、磁性材１０を軟化する温度に加熱しながら導線１３を下方に押圧する。すると、導線１３が磁性材１０内に沈み込み、図８（ｃ）に示すように、磁性材１０の表層に、その外周の一部が長手方向に沿って連続して露出するように導線１３が埋設されたタグアンテナ８ａが形成される。
【００４０】
なお、磁性材１０の材料は特に限定されないが、例えば、微細な磁性金属の粉末をプラスチックまたはゴムと複合化したものを用いることが好ましい。この微細な粉末状磁性金属は自発磁化のため鎖状に繋がっており、粉末状磁性金属をプラスチックまたはゴムと複合化して一方向に延ばすと、鎖状の繋がった粉末状磁性金属の集合体は延ばした方向に揃うため、材料を延ばした方向に磁場を印加すると、磁束が鎖状の粉末状磁性金属の集合体を通じることにより、延ばした方向の透磁率を高くすることができる。また、粉末状磁性金属に代えて、針状の磁性金属をプラスチックまたはゴムと複合化したものを用いてもよい。また、上記製造方法に代えて、導線１３を配置した型に熱で溶かした磁性材料を流し込んで同様の形状のタグアンテナ８ａを製造してもよいし、図９（ａ）に示すように、シート状の磁性材１０の表面に所定の深さの凹部１０ａを形成し、図９（ｂ）に示すように、その凹部１０ａに導線１３を埋め込んで同様の形状のタグアンテナ８ａを製造してもよい。
【００４１】
また、図３に示す平坦な形状のタグアンテナ８ａを携帯無線機の筐体（例えば、下部筐体３の裏面側）の内面に配設してもよいが、筐体の内部には様々な部品が配置されていることから平坦な形状では部品に干渉してしまう場合もあり、また、タグアンテナ８ａの通信距離を伸ばしたり通信範囲を広げるためにアンテナの形状を変更したい場合もある。そのような場合は、タグアンテナ８ａを変形させることになるが、図１２に示す従来の構造では、タグアンテナ８ａと磁性材１０とが別々の構造体であるため、変形が困難であったり、変形させた場合に基材１５と磁性材１０とが分離してしまうなどの問題があった。しかしながら、本実施例の構造の場合、タグアンテナ８ａは磁性材１０に埋設されて一体化されているため、任意の形状に変形させることが可能であり、例えば、図４に示すように、その両端部を折り曲げることもでき、複雑な構造の機器に対してもタグアンテナ８ａを確実に配設することができ、所望のアンテナ特性を得ることができる。
【００４２】
なお、図３及び図４では、シート状の磁性材１０に導線１３を埋設してタグアンテナ８ａを形成したが、磁性材１０は導線１３を埋設できる形状であればよく、例えば、図５に示すように、中央部分をくり抜いた枠状（導線１３を渦巻き状に巻回する場合はリング状）にすることもできる。この構造の場合、図３の構造と同様に、磁性材１０下部の金属材料の影響や、磁性材１０の下方及び側方からのノイズの影響を抑制することができると共に、磁性材１０の幅が狭くなるために磁束１１の広がりを抑制することができ、これにより、タグアンテナ８ａの指向性を高めることができる。
【００４３】
また、図５では、枠状の磁性材１０に導線１３を埋設したが、例えば、図６に示すように、細長い磁性材１０に導線１３を埋設したワイヤを形成し、そのワイヤを巻回して同様の構造のタグアンテナ８ａを作成することもできる。この構造の場合も、図３の構造と同様に、磁性材１０下部の金属材料の影響や、磁性材１０の下方及び側方からのノイズの影響を抑制することができると共に、磁性材１０の幅を更に狭くすることができるため、タグアンテナ８ａの指向性を更に高めることができる。なお、この構造のワイヤはタグアンテナ８ａを製造する用途のみならず、ノイズを発生する部品が存在する機器内の配線としても利用することができる。
【００４４】
また、図３乃至図６では、磁性材１０に導線１３を埋設したが、例えば、図７に示すように、磁性材１０の上に導線１３を配置し、導線１３を覆うように保護材１４を形成する構造とすることもできる。この構造の場合も、図７（ｂ）に示すように、タグアンテナ８ａで発生する磁束１１は、磁性材１０の内部を通過して側面から出射するため、磁性材１３の下部に配置された金属材料によるインダクタンスの減少を抑制することができ、通信距離の低下を防止することができる。また、図７（ｃ）に示すように、磁性材１０の下方から入射するノイズを磁性材１０で遮断して通信特性を良好に保つことができる。但し、図７の構造では導線１３は磁性材１０に埋設していないため、磁性材１０の側方からのノイズは遮断することができないが、磁性材１０の下部に配置された部品から放射され、筐体の壁面で反射して斜め下方から入射するノイズは遮断することができ、図１２に示す従来構造に比べてノイズを有効に遮断することができる。
【００４５】
上記構造のタグアンテナ８ａは、例えば、図１０に示すような方法で製造することができる。まず、図１０（ａ）に示すように、シート状の磁性材１０を用意し、図１０（ｂ）に示すように、その磁性材１０の上にタグアンテナ８ａを構成する導線１３を配置した後、所定の溶剤に溶解した保護材料を吹き付ける。すると、導線１３を覆うように保護材料が付着して、図１０（ｃ）に示すように、磁性材１０上に導線１３が配置され、その表面が保護材１４で覆われたタグアンテナ８ａが形成される。
【００４６】
なお、保護材１４の材料は特に限定されないが、例えば、アクリル、ＰＥＴＧ（グリコール変性ポリエチレンテレフタレート）、ポリカーボネートなどを用いることができる。また、上記製造方法に代えて、導線１３を配置した磁性材１０の上に熱で溶解した保護材料を塗設して同様の形状のタグアンテナ８ａを製造することもできる。
【００４７】
このように、本実施例のタグアンテナ８ａは、磁性材１０の表層に、その外周の一部が長手方向に沿って連続して露出するように導線１３を埋設して形成されているため、厚みの増加を極力抑え、磁性材１０下部に配置される回路基板などの金属材料を含む部品の影響を抑制することができると共に、磁性材１０の下方及び側方から入射するノイズの影響も抑制することができ、更に、導線１３と磁性材１０とが一体化しているため加工性を向上させることができる。また、磁性材１０上に導線１３を配置して保護材１４を覆った構造でも、厚みの増加を極力抑え、金属材料の影響を抑制することができると共に、磁性材１０の下方及び斜め下方からのノイズの影響を抑制することができ、更に、導線１３と磁性材１０と保護材１４とが一体化しているため加工性を向上させることができる。
【００４８】
なお、上記実施例では、携帯無線機に配設するタグアンテナ８ａについて記載したが、本発明は上記実施例に限定されるものではなく、他の機器に配設するタグアンテナ８ａに対しても同様に適用することができ、また、リーダ／ライタアンテナ９ａに対しても同様に適用することができる。また、本実施例のアンテナの構造は、ＲＦＩＤ用のアンテナに限らず、ノイズの影響を受けやすい場所に配置される任意のループ状のアンテナに適用することができる。更に、本実施例の構造は、ノイズの影響を受けやすい場所に配置される配線にも適用することができる。
【産業上の利用可能性】
【００４９】
本発明は携帯電話機に限らず、ＲＦＩＤ機能を備えた任意の無線通信機器、例えば、ＰＨＳ、トランシーバー、無線通信機能を備えた携帯端末機器等に対しても同様に適用することができる。
【図面の簡単な説明】
【００５０】
【図１】本発明の一実施例に係るＲＦＩＤ機能付き携帯無線機の表面及び裏面の外観構成を示す図である。
【図２】ＲＦＩＤシステムの構成を示すブロック図である。
【図３】本発明の一実施例に係るタグアンテナの構造を模式的に示す図であり、（ａ）は斜視図、（ｂ）、（ｃ）はＸ−Ｘ’線における断面図である。
【図４】本発明の一実施例に係るタグアンテナの構造のバリエーションを示す斜視図である。
【図５】本発明の一実施例に係るタグアンテナの構造のバリエーションを示す図であり、（ａ）は斜視図、（ｂ）、（ｃ）はＸ−Ｘ’線における断面図である。
【図６】本発明の一実施例に係るワイヤの構造を模式的に示す図であり、（ａ）は斜視図、（ｂ）、（ｃ）はＸ−Ｘ’線における断面図である。
【図７】本発明の一実施例に係るタグアンテナの構造のバリエーションを示す図であり、（ａ）は斜視図、（ｂ）、（ｃ）はＸ−Ｘ’線における断面図である。
【図８】本発明の一実施例に係るタグアンテナの製造方法を模式的に示す断面図である。
【図９】本発明の一実施例に係るタグアンテナの他の製造方法を模式的に示す断面図である。
【図１０】本発明の一実施例に係るタグアンテナの他の製造方法を模式的に示す断面図である。
【図１１】従来のタグアンテナの構造を模式的に示す図であり、（ａ）は斜視図、（ｂ）、（ｃ）はＸ−Ｘ’線における断面図である。
【図１２】従来のタグアンテナの構造を模式的に示す図であり、（ａ）は斜視図、（ｂ）、（ｃ）はＸ−Ｘ’線における断面図である。
【符号の説明】
【００５１】
１  ＲＦＩＤ機能付き携帯無線機
２  上部筐体
３  下部筐体
４  ヒンジ部
５  表示部
６  操作部
７  ホイップアンテナ
８  タグ
８ａ  タグアンテナ
８ｂ  ＩＣ
９  リーダ／ライタ
９ａ  リーダ／ライタアンテナ
９ｂ  通信回路部
９ｃ  演算処理部
１０  磁性材
１０ａ  凹部
１１  磁束
１３  導線
１４  保護材
１５  基材
１６  回路基板
【図１】
2007116347.tif 000003
【図２】
2007116347.tif 000004
【図３】
2007116347.tif 000005
【図４】
2007116347.tif 000006
【図５】
2007116347.tif 000007
【図６】
2007116347.tif 000008
【図７】
2007116347.tif 000009
【図８】
2007116347.tif 000010
【図９】
2007116347.tif 000011
【図１０】
2007116347.tif 000012
【図１１】
2007116347.tif 000013
【図１２】
2007116347.tif 000014